(57)【要約】本発明は、オブジェクトを偽装する適応的カモフラージュ構造を特徴とし、適応的カモフラージュ構造は、第１ホスト材料を含む第１反射層と、第１反射層を覆うように設けられ、かつ第２ホスト材料を含む第２反射層と、第１反射層と第２反射層との間の第１調整可能電圧パターン中間層と、そして第２反射層とオブジェクトとの間の第２調整可能電圧パターン中間層と、を備え、第１反射層及び第２反射層はそれぞれ、該当するホスト材料に回転可能に混入させた、または分散させた電気的に活性な複数の粒子を含み、第１反射層に含まれる電気的に活性なこれらの粒子の内の幾つかの粒子の各々の一部分のみが可視光を反射し、かつ第２反射層に含まれる電気的に活性なこれらの粒子の内の幾つかの粒子の各々の一部分のみが赤外線、無線周波数放射線、マイクロ波、またはＵＶ光を反射する。
2008531962.tif 000002
【特許請求の範囲】
【請求項１】
オブジェクトを偽装する適応的カモフラージュ構造であって、前記適応的カモフラージュ構造は、第１ホスト材料を含む第１反射層と、第１反射層を覆うように設けられ、かつ第２ホスト材料を含む第２反射層と、第１反射層と第２反射層との間の第１調整可能電圧パターン中間層と、そして第２反射層とオブジェクトとの間の第２調整可能電圧パターン中間層と、を備え、第１反射層及び第２反射層はそれぞれ、該当するホスト材料に回転可能に混入させた、または分散させた電気的に活性な複数の粒子を含み、第１反射層に含まれる電気的に活性なこれらの粒子の内の幾つかの粒子の各々の一部分のみが可視光を反射し、かつ第２反射層に含まれる電気的に活性なこれらの粒子の内の幾つかの粒子の各々の一部分のみが赤外線、無線周波数放射線、マイクロ波、ＵＶ光、またはこれらの光の組み合わせを反射し、そして第１反射層及び第２反射層は化学的に互いに異なる、適応的カモフラージュ構造。
【請求項２】
更に、第３反射層及び第３調整可能電圧パターン中間層を備え、第３反射層は第２反射層と第３調整可能電圧パターン中間層との間に位置し、かつ第３調整可能電圧パターン中間層は第３反射層とオブジェクトとの間に位置し、第３反射層は第３ホスト材料、及び第３ホスト材料に回転可能に混入させた、または分散させた電気的に活性な複数の粒子を含み、そして第３反射層に含まれる電気的に活性なこれらの粒子の内の幾つかの反射粒子の各々の一部分のみが赤外線、無線周波数放射線、マイクロ波、ＵＶ光、またはこれらの光の組み合わせを反射する、請求項１記載の適応的カモフラージュ構造。
【請求項３】
第１反射層に含まれる電気的に活性な粒子は電気的に活性な可視光反射粒子を含み、かつ第２反射層及び第３反射層に含まれる電気的に活性な粒子はそれぞれ個々に、電気的に活性な赤外線反射粒子、電気的に活性なレーダ反射粒子、電気的に活性なＵＶ反射粒子、及び電気的に活性なマイクロ波反射粒子から成るグループから選択される、請求項２記載の適応的カモフラージュ構造。
【請求項４】
第２反射層は電気的に活性な赤外線反射粒子を含み、かつ第３反射層は電気的に活性なレーダ反射粒子を含む、請求項３記載の適応的カモフラージュ構造。
【請求項５】
第１ホスト材料は可視光、赤外線、及び無線周波数放射線を透過し、第２ホスト材料は赤外線及び無線周波数放射線を透過し、そして第３ホスト材料は無線周波数放射線を透過する、請求項４記載の適応的カモフラージュ構造。
【請求項６】
第２反射層は電気的に活性なレーダ反射粒子を含み、かつ第３反射層は電気的に活性な赤外線反射粒子を含む、請求項３記載の適応的カモフラージュ構造。
【請求項７】
第１ホスト材料は可視光、赤外線、及び無線周波数放射線を透過し、第２ホスト材料は赤外線及び無線周波数放射線を透過し、そして第３ホスト材料は赤外線を透過する、請求項６記載の適応的カモフラージュ構造。
【請求項８】
更に、接着層を第３反射層の外側表面に備え、接着層によって適応的カモフラージュ構造をオブジェクトの表面に接着するように取り付ける、請求項２記載の適応的カモフラージュ構造。
【請求項９】
第１ホスト材料、第２ホスト材料、及び第３ホスト材料はそれぞれ個々に、ポリカーボネート、ポリエステル、ポリアミド、ポリシロキサン、ポリエチレン、及びポリプロピレンから成るグループから選択される、請求項２記載の適応的カモフラージュ構造。
【請求項１０】
第１ホスト材料、第２ホスト材料、及び第３ホスト材料の各々は更にオイルを含む、請求項９記載の適応的カモフラージュ構造。
【請求項１１】
第１ホスト材料、第２ホスト材料、及び第３ホスト材料の各々は更にオイルで充填された空洞を含む、請求項１０記載の適応的カモフラージュ構造。
【請求項１２】
第１反射層に含まれる電気的に活性な粒子は電気的に活性な可視光反射粒子を含み、かつ第２反射層に含まれる電気的に活性な粒子は、電気的に活性な赤外線反射粒子、電気的に活性なレーダ反射粒子、電気的に活性なＵＶ反射粒子、及び電気的に活性なマイクロ波反射粒子から成るグループから選択される、請求項１記載の適応的カモフラージュ構造。
【請求項１３】
更に、接着層を第２反射層の外側表面に備え、接着層によって適応的カモフラージュ構造をオブジェクトの表面に接着するように取り付ける、請求項１２記載の適応的カモフラージュ構造。
【請求項１４】
更に、適応的カモフラージュ構造の複数の最外側表面の内の一つの最外側表面の上に、または近傍に位置する、或いはホスト材料から成る２つの隣接反射層の間に位置する少なくとも一つの調整可能電圧パターン中間層を備える、請求項１記載の適応的カモフラージュ構造。
【請求項１５】
第１ホスト材料及び第２ホスト材料はそれぞれ個々に、ポリカーボネート、ポリエステル、ポリアミド、ポリシロキサン、ポリエチレン、及びポリプロピレンから成るグループから選択される、請求項１記載の適応的カモフラージュ構造。
【請求項１６】
第１調整可能電圧パターン中間層及び第２調整可能電圧パターン中間層の各々にはアクティブマトリクスアドレス方式を使用する、請求項１記載の適応的カモフラージュ構造。
【請求項１７】
第１反射層に含まれる電気的に活性なこれらの粒子の内の幾つかの粒子の各粒子の約２５〜７５％は可視光を反射し、かつ前記粒子の残りの７５〜２５％は可視光を反射しない、請求項１記載の適応的カモフラージュ構造。
【請求項１８】
第２反射層に含まれる電気的に活性なこれらの粒子の内の幾つかの粒子の各粒子の約２５〜７５％は、赤外線、無線周波数放射線、マイクロ波、ＵＶ光、またはこれらの光の組み合わせを反射し、かつ前記粒子の残りの７５〜２５％は、赤外線、無線周波数放射線、マイクロ波、ＵＶ光、またはこれらの光の組み合わせを反射しない、請求項１記載の適応的カモフラージュ構造。
【請求項１９】
第３反射層に含まれる電気的に活性なこれらの粒子の内の幾つかの粒子の各粒子の約２５〜７５％は、赤外線、無線周波数放射線、マイクロ波、ＵＶ光、またはこれらの光の組み合わせを反射し、かつ前記粒子の残りの７５〜２５％は、赤外線、無線周波数放射線、マイクロ波、ＵＶ光、またはこれらの光の組み合わせを反射しない、請求項２記載の適応的カモフラージュ構造。
【請求項２０】
オブジェクトの表面に適応的カモフラージュ構造を取り付けることによりオブジェクトを偽装する方法であって、前記適応的カモフラージュ構造は、第１ホスト材料を含む第１反射層と、第１反射層を覆うように設けられ、かつ第２ホスト材料を含む第２反射層と、第１反射層と第２反射層との間の第１調整可能電圧パターン中間層と、そして第２反射層とオブジェクトとの間の第２調整可能電圧パターン中間層と、を備え、第１反射層及び第２反射層はそれぞれ、該当するホスト材料に回転可能に混入させた、または分散させた電気的に活性な複数の粒子を含み、第１反射層に含まれる電気的に活性なこれらの粒子の内の幾つかの粒子の各々の一部分のみが可視光を反射し、かつ第２反射層に含まれる電気的に活性なこれらの粒子の内の幾つかの粒子の各々の一部分のみが赤外線、無線周波数放射線、マイクロ波、ＵＶ光、またはこれらの光の組み合わせを反射し、そして第１反射層及び第２反射層は化学的に互いに異なる、方法。
【請求項２１】
適応的カモフラージュ構造は更に、第３反射層及び第３調整可能電圧パターン中間層を備え、第３反射層は第２反射層と第３調整可能電圧パターン中間層との間に位置し、かつ第３調整可能電圧パターン中間層は第３反射層とオブジェクトとの間に位置し、第３反射層は第３ホスト材料、及び第３ホスト材料に回転可能に混入させた、または分散させた電気的に活性な複数の粒子を含み、そして第３反射層に含まれる電気的に活性なこれらの粒子の内の幾つかの粒子の各々の一部分のみが赤外線、無線周波数放射線、マイクロ波、ＵＶ光、またはこれらの光の組み合わせを反射する、請求項２０記載のカモフラージュ方法。
【請求項２２】
第１反射層に含まれる電気的に活性な粒子は電気的に活性な可視光反射粒子を含み、かつ第２反射層及び第３反射層に含まれる電気的に活性な粒子はそれぞれ個々に、電気的に活性な赤外線反射粒子、電気的に活性なレーダ反射粒子、電気的に活性なＵＶ反射粒子、及び電気的に活性なマイクロ波反射粒子から成るグループから選択される、請求項２１記載のカモフラージュ方法。
【請求項２３】
第２反射層は電気的に活性な赤外線反射粒子を含み、かつ第３反射層は電気的に活性なレーダ反射粒子を含む、請求項２２記載のカモフラージュ方法。
【請求項２４】
第１ホスト材料は可視光、赤外線、及び無線周波数放射線を透過し、第２ホスト材料は赤外線及び無線周波数放射線を透過し、そして第３ホスト材料は無線周波数放射線を透過する、請求項２３記載のカモフラージュ方法。
【請求項２５】
第２反射層は電気的に活性なレーダ反射粒子を含み、かつ第３反射層は電気的に活性な赤外線反射粒子を含む、請求項２２記載のカモフラージュ方法。
【請求項２６】
第１ホスト材料は可視光、赤外線、及び無線周波数放射線を透過し、第２ホスト材料は赤外線及び無線周波数放射線を透過し、そして第３ホスト材料は赤外線を透過する、請求項２５記載のカモフラージュ方法。
【請求項２７】
更に、接着層を第３反射層の外側表面に備え、接着層によって適応的カモフラージュ構造をオブジェクトの表面に接着するように取り付ける、請求項２１記載のカモフラージュ方法。
【請求項２８】
第１ホスト材料、第２ホスト材料、及び第３ホスト材料はそれぞれ個々に、ポリカーボネート、ポリエステル、ポリアミド、ポリシロキサン、ポリエチレン、及びポリプロピレンから成るグループから選択される、請求項２１記載のカモフラージュ方法。
【請求項２９】
第１反射層に含まれる電気的に活性な粒子は電気的に活性な可視光反射粒子を含み、かつ第２反射層に含まれる電気的に活性な粒子は、電気的に活性な赤外線反射粒子、電気的に活性なレーダ反射粒子、電気的に活性なＵＶ反射粒子、及び電気的に活性なマイクロ波反射粒子から成るグループから選択される、請求項２０記載のカモフラージュ方法。
【請求項３０】
更に、接着層を第２反射層の外側表面に備え、接着層によって適応的カモフラージュ構造をオブジェクトの表面に接着するように取り付ける、請求項２９記載のカモフラージュ方法。
【請求項３１】
更に、適応的カモフラージュ構造の複数の最外側表面の内の一つの最外側表面の上に、または近傍に位置する、或いはホスト材料から成る２つの隣接反射層の間に位置する少なくとも一つの調整可能電圧パターン中間層を備える、請求項２０記載のカモフラージュ方法。
【請求項３２】
第１ホスト材料及び第２ホスト材料はそれぞれ個々に、ポリカーボネート、ポリエステル、ポリアミド、ポリシロキサン、ポリエチレン、及びポリプロピレンから成るグループから選択される、請求項２０記載のカモフラージュ方法。
【請求項３３】
第１調整可能電圧パターン中間層及び第２調整可能電圧パターン中間層の各々にはアクティブマトリクスアドレス方式を使用する、請求項２０記載のカモフラージュ方法。
【発明の詳細な説明】
【技術分野】
【０００１】
本発明は、オブジェクトの外観を偽装するために使用するのに適する適応的カモフラージュ構造に関し、特にオブジェクトの外観を偽装するために動的に調整して、オブジェクトが可視光、ＵＶ光、赤外線、マイクロ波、及び／又は無線周波数放射線を利用する検出器にとって当該オブジェクトを直接取り囲む周囲環境のように見えるようにする適応的カモフラージュ構造に関する。
【背景技術】
【０００２】
戦場環境における兵士、車両、機器、及び構造のようなオブジェクトの存続能力は、オブジェクトに対する全ての特定の脅威または未特定の脅威を取り除くための対策能力に直接的に関連する。オブジェクトに対する脅威に対する重要な対策では、オブジェクトを偽装してオブジェクトの存在を敵が検出することが困難になるようにする。従来、専用のペイントカモフラージュを施して、可視光を利用する検出器がオブジェクトを検出するときの検出器の可視光に対する検出効率を下げるようにしてきた。近代の戦闘環境では、現在のペイントカモフラージュ対策によって無力化されることがないレーダ検出器及び赤外線検出器のような他の多くの実績のある検出方法が採用される。更に、専用のペイントカモフラージュを種々の戦闘環境において頻繁に変えるために必要な時間によって、所定の戦闘状況に必要になる軍事部隊の展開ができなくなる、または遅れる事態が発生する。
【０００３】
軍事品を検出する敵の能力を低下させるために、カモフラージュ（１）を軍事品に、軍事品の邪魔にならないように施して、軍事品の目的を達成する、または軍事品を所望の使用に供することができ、（２）カモフラージュによって、広範囲に配備される検出器による軍事品の検出効率を下げることができ、（３）カモフラージュを、大きく変化する戦場環境（夜間、日中、または雨のような）、移動、及び所定の戦闘現場内の複数の地理的位置及び環境に動的に適合させることができ、（４）カモフラージュを種々のパターンに迅速に構成し直して、または変更して大きく変化する地理的環境に適合させることができ、そして（５）カモフラージュを許容可能なコストで展開することができることが望ましい。カモフラージュの機能を向上させることにより、上述の望ましい特徴及び重要な戦術上の利点の内の幾つかを使用することができる。
【発明の開示】
【発明が解決しようとする課題】
【０００４】
適応的カモフラージュ構造をここに開示するが、適応的カモフラージュ構造は動的に調整することにより、兵士、車両、機器、及び構造のようなオブジェクトの概観を偽装して、オブジェクトが可視光、ＵＶ光、赤外線、マイクロ波、及び／又は無線周波数放射線を利用する検出器にとって当該オブジェクトを直接取り囲む周囲環境のように見えるようにすることができる。本発明の適応的カモフラージュ構造は広視野角を提供することができ、かつオブジェクトの一体化部分として容易に組み込むことができる。本発明の適応的カモフラージュ構造の一つの特徴は、当該構造が、複数の周波数の入射光を利用する方式を一つのデバイスに組み込むことができるので、コスト、重量、及び実装の複雑さを低減することができることである。本発明の適応的カモフラージュ構造の別の特徴は、カモフラージュ構造の反射層の上に生成されるカモフラージュパターンが安定しており、かつ電力を必要とすることなく維持することができることである。本発明の適応的カモフラージュ構造の更に別の特徴は、カモフラージュパターンを新規の電界パターンによって変化させる、または構成し直すまで、カモフラージュパターンをずっと維持することができることである。
【課題を解決するための手段】
【０００５】
第１の態様では、本発明はオブジェクトを偽装する適応的カモフラージュ構造を特徴とし、適応的カモフラージュ構造は、第１ホスト材料を含む第１反射層と、第１反射層を覆うように設けられ、かつ第２ホスト材料を含む第２反射層と、第１反射層と第２反射層との間に位置する第１調整可能電圧パターン中間層と、そして第２反射層とオブジェクトとの間に位置する第２調整可能電圧パターン中間層と、を備え、第１反射層及び第２反射層はそれぞれ、該当するホスト材料に回転可能に混入させた、または分散させた電気的に活性な複数の粒子を含み、第１反射層に含まれる電気的に活性なこれらの粒子の内の幾つかの粒子の各々の一部分のみが可視光を反射し、かつ第２反射層に含まれる電気的に活性なこれらの粒子の内の幾つかの粒子の各々の一部分のみが赤外線、無線周波数放射線、マイクロ波、ＵＶ光、またはこれらの光の組み合わせを反射し、そして第１反射層及び第２反射層は化学的に互いに異なる。
【０００６】
第２の態様では、本発明は、オブジェクトの表面に、オブジェクトを偽装する適応的カモフラージュ構造を取り付けることによりオブジェクトを偽装する方法を特徴とし、適応的カモフラージュ構造は、第１ホスト材料を含む第１反射層と、第１反射層を覆うように設けられ、かつ第２ホスト材料を含む第２反射層と、第１反射層と第２反射層との間に位置する第１調整可能電圧パターン中間層と、そして第２反射層とオブジェクトとの間に位置する第２調整可能電圧パターン中間層と、を備え、第１反射層及び第２反射層はそれぞれ、該当するホスト材料に回転可能に混入させた、または分散させた電気的に活性な複数の粒子を含み、第１反射層に含まれる電気的に活性なこれらの粒子の内の幾つかの粒子の各々の一部分のみが可視光を反射し、かつ第２反射層に含まれる電気的に活性なこれらの粒子の内の幾つかの粒子の各々の一部分のみが赤外線、無線周波数放射線、マイクロ波、ＵＶ光、またはこれらの光の組み合わせを反射し、そして第１反射層及び第２反射層は化学的に互いに異なる。或る関連実施形態では、適応的カモフラージュ構造は更に、第３反射層及び第３調整可能電圧パターン中間層を備え、第３反射層は第２反射層と第３調整可能電圧パターン中間層との間に位置し、かつ第３調整可能電圧パターン中間層は第３反射層とオブジェクトとの間に位置し、第３反射層は第３ホスト材料、及び第３ホスト材料に回転可能に混入させた、または分散させた電気的に活性な複数の粒子を含み、そして第３反射層に含まれる電気的に活性なこれらの粒子の内の幾つかの粒子の各々の一部分のみが赤外線、無線周波数放射線、マイクロ波、ＵＶ光、またはこれらの光の組み合わせを反射する。
【０００７】
或る関連実施形態では、第１反射層に含まれる電気的に活性なこれらの粒子の各粒子の約２５〜７５％は可視光を反射し、かつ前記粒子の残りの７５〜２５％は可視光を反射しない。他の関連実施形態では、第２反射層に含まれる電気的に活性なこれらの粒子の各粒子の約２５〜７５％は、赤外線、無線周波数放射線、マイクロ波、ＵＶ光、またはこれらの光の組み合わせを反射し、かつ前記粒子の残りの７５〜２５％は、赤外線、無線周波数放射線、マイクロ波、ＵＶ光、またはこれらの光の組み合わせを反射しない。更に別の関連実施形態では、第３反射層に含まれる電気的に活性なこれらの粒子の各粒子の約２５〜７５％は、赤外線、無線周波数放射線、マイクロ波、ＵＶ光、またはこれらの光の組み合わせを反射し、かつ前記粒子の残りの７５〜２５％は、赤外線、無線周波数放射線、マイクロ波、ＵＶ光、またはこれらの光の組み合わせを反射しない。
【０００８】
本発明の他の特徴及び利点は、本発明の特定の実施形態についての以下の記述及び請求項から明らかになる。
【発明を実施するための最良の形態】
【０００９】
本発明についてこれまでに説明してきた特徴及び利点、及び本発明の他の特徴及び利点は、添付の図に例示される本発明の特定の実施形態に関する以下の更に詳細な説明から明らかになり、これらの図では、同様の参照番号は異なる図を通じて同じ構成要素を指す。これらの図は必ずしも寸法通りには描かれておらず、その代わり、本発明の原理を例示するための強調表示を行っている。
【００１０】
本明細書に記載する改良型適応的カモフラージュ構造は２つ以上の層を有することができ、これらの層の各々は複数の電気的に活性な粒子を含み、これらの粒子は所望の画像を形成するように選択的に配向させることができる。異なる層によって形成される画像は、可視光、赤外線、紫外光、マイクロ波、及び／又は無線周波数放射線のような電磁スペクトルの異なる領域の画像となるように適合させることができる。或る実施形態では、異なる層の中に形成される画像は、適切な電界を調整可能電圧パターン中間層によって印加することにより個々に選択することができる。電気的に活性な粒子は適切なバインダーに混入させることができ、バインダーは、電気的に活性な粒子によって反射される電磁スペクトルの少なくとも一つの領域を透過し、かつバインダーによって、電気的に活性な粒子は層内部で回転することができる。配向すると、各層の電気的に活性な粒子は一緒になって選択画像を観察者または検出器に対して提示する。
【００１１】
図１は、兵士、車両、機器、及び構造のようなオブジェクト５０を偽装する本発明の２層適応的カモフラージュ構造の一の実施形態を示している。図１の適応的カモフラージュ構造は、第１ホスト材料を有する第１反射層３と、そして第２ホスト材料を有する第２反射層１３と、を含み、第１及び第２反射層は更にそれぞれ、複数の電気的に活性な粒子６０及び６１を含み、これらの粒子は該当するホスト材料に回転可能に混入させる、または分散させる。電気的に活性な粒子６０及び６１は厳密に、または概略、球、ビーズ、長円、シリンダ、円盤、フレークの形状とする、またはこれらの構造体を組み合わせた形状とすることができる。第１反射層に含まれる電気的に活性な粒子は、例えばオブジェクトの周囲環境からの可視光１を反射し、そして第２反射層に含まれる電気的に活性な粒子はオブジェクトの周囲環境からの赤外線１１を反射することができる。第１ホスト材料は可視光及び赤外線の両方を透過し、そして第２ホスト材料は赤外線を透過する。材料は、電磁スペクトルの領域の少なくとも一部分を透過することができるように材料が構成される場合に、電磁スペクトルの特定領域を透過する。或る実施形態では、電気的に活性な粒子６０及び６１は厳密に、または概略、球、ビーズ、長円、シリンダ、円盤の形状とする、またはこれらの構造体を組み合わせた形状とすることができ、そして第１ホスト材料及び第２ホスト材料はそれぞれ、ポリカーボネート、ポリエステル、ポリアミド（例えば、ナイロン）、ポリシロキサン（例えば、シリコーン及び架橋シリコーン）、ポリエチレン、及びポリプロピレンから成るグループから選択される高分子材料である。或る実施形態では、電気的に活性な粒子６０及び６１は、該当するホスト材料の空洞に含まれるホスト流体に分散させたフレークを含む。電気的に活性なフレークを分散させる適切なホスト流体は、ＡＳＴＭ  Ｄ  ２５７−９３によって測定される１０９Ω−ｃｍ以上の体積抵抗率を有することができる。適切なホスト流体の幾つかの例として、これらには制限されないが、テトラフルオロジブロモエタン、テトラクロロエチレン、トリフロオロクロロエチレン、シリコーンオイル、フッ素化オイル、フルオロシリコーンオイル、ネマチック液晶流体、炭化水素（例えば、パラフィン液、トルエン、キシレン、オクタン、デカン、テトラデカン、デカリン、及びケロシン）、オイル（例えば、リンシードオイル、ソーヤオイル、キリ油、及びオリーブオイル）、及びこれらの材料の組み合わせを挙げることができる。第１ホスト材料は第２ホスト材料と同じとすることができる、または同じとする必要はない。電気的に活性なフレーク及びホスト流体は米国特許第６，６６５，０４２号に開示されており、この文献をここで参照することにより、当該文献の内容が本明細書に組み込まれる。反射可視光２は、オブジェクト５０を偽装して、ヒトの眼、望遠鏡、及び電子カメラのような可視光検出器によってオブジェクトが検出されるリスクを小さくするために適する選択可視光画像を形成することができる。同様に、反射赤外線１２は、オブジェクト５０を偽装して、１〜２０ミクロンの波長で動作するＦＬＩＲｓ（ｆｏｒｗａｒｄ  ｌｏｏｋｉｎｇ  ｉｎ��ｒａｒｅｄ：赤外線前方監視装置）のような赤外線撮像システムによってオブジェクトが検出されるリスクを小さくするために適する選択赤外線画像を形成することができる。
【００１２】
この技術分野の当業者であれば、第１反射層３を改質して、当該層が可視光以外の、ＵＶ光、赤外線、マイクロ波、または無線周波数放射線のような別の光線を反射することができるようにすることができる。同様に、この技術分野の当業者であれば、第２反射層１３を改質して、当該層が赤外線以外の、可視光、ＵＶ光、マイクロ波、または無線周波数放射線のような別の光線を反射することができるようにすることができる。或る関連実施形態では、第２反射層１３は電気的に活性な粒子を含み、これらの粒子はＵＶ光、赤外線、マイクロ波、無線周波数放射線、またはこれらの光の組み合わせを反射することができる。従って、このような反射層は赤外線反射層、レーダ反射層、ＵＶ反射層、またはマイクロ波反射層として選択的に使用することができる。
【００１３】
任意であるが、接着層を第２反射層１３の外側表面に吐出して、２層適応的カモフラージュ構造をオブジェクトの表面に接着するように取り付けることができる。この技術分野で公知のいずれの適切な接着材料も、この目的に利用することができる。適切な接着材料の例として、これらには制限されないが、フェノールホルムアルデヒド樹脂、ポリクロロプレン、尿素ホルムアルデヒド接着剤、ニトリルゴム−フェノール樹脂系接着剤、エポキシ樹脂系接着剤、ニトリルゴム−エポキシフィルム接着剤、ナイロン−エポキシフィルム接着剤、イソシアネート系接着剤、ホットメルト接着剤、シアノアクリレート接着剤、嫌気性接着剤、シリコーン接着剤、耐高温接着剤、ハイパロン強化アクリレート接着剤、ビスマレイミド系接着剤、及びアクリレート系またはメタクリレート系接着剤を挙げることができる。高分子接着材料の平均分子重量は１０００〜１０，０００，０００ダルトンの範囲で変化し得る。別の構成として、２層適応的カモフラージュ構造はオブジェクトの表面に、ネジ、釘、ボルト及びナット、フック及びループファスナー、及びフック及びフックファスナーのようないずれかの従来の機械的ファスナーによって取り付けることができる。
【００１４】
可視光画像及び赤外線画像は共に、適切な電圧パターンを可視光反射層３及び赤外線反射層１３の各々に、複数の調整可能電圧パターン中間層４０によって個別に印加することにより制御することができる。これらの調整可能電圧パターン中間層４０の各々は、オブジェクト５０の表面３０を覆うように、そして／またはこれらの２つの隣接層の間の界面に配置することができる。調整可能電圧パターン中間層は、可視光を高効率で透過する導電材料により形成することができる。透明導電材料の例として、これらには制限されないが、インジウム錫酸化物、酸化亜鉛、酸化錫、酸化インジウム、酸化カドミウム、酸化ガリウム、酸化銅、及びこれらの材料の組み合わせのような透明導電酸化物、０．１ミクロン〜０．５ナノメートルの範囲の膜厚を有する金、銀、及び銅のような薄膜金属コーティング、カーボンナノチューブ、及び金をコーティングした銀ナノ粒子のような導電材料から成るナノ粒子、ＩＴＯミクロ粒子を使用する透明導電ＩＴＯインク、及び針状（針の形状をした）ＩＴＯ粒子を使用する半透明導電ＩＴＯペーストにより形成される透明導電膜または透明導電細条、有機インジウム及び錫化合物を使用する透明導電ＩＴＯペースト、金をコーティングした銀ナノ粒子を使用する透明導電金−銀インク、及び炭素微細粒子を使用する透明導電カーボンインクを挙げることができる。透明導電インク及びペーストの全ては、日本の東京に本拠を置くＳｕｍｉｔｏｍｏ  Ｍｅｔａｌ  Ｍｉｎｉｎｇ（住友金属鉱山株式会社）から入手することができる。
【００１５】
図２は、オブジェクト５０を偽装する３層適応的カモフラージュ構造の一の実施形態を示している。図２の適応的カモフラージュ構造は、第１ホスト材料を有する第１反射層３と、第２ホスト材料を有する第２反射層１３と、そして第３ホスト材料を有する第３反射層２３と、を含み、第１、第２、及び第３反射層は更にそれぞれ、複数の電気的に活性な粒子６０，６１，及び６２を含み、これらの粒子は該当するホスト材料に混入させる、または分散させる。任意であるが、接着層を第３反射層の外側表面に吐出して、３層適応的カモフラージュ構造をオブジェクトの表面に接着するように取り付けることができる。いずれの適切な接着材料も、この目的に利用することができる。別の構成として、３層適応的カモフラージュ構造はオブジェクトの表面に、ネジ、釘、ボルト及びナット、フック及びループファスナー、及びフック及びフックファスナーのようないずれの従来の機械的ファスナーによっても取り付けることができる。
【００１６】
或る実施形態では、第１反射層に含まれる電気的に活性な粒子は、オブジェクトの周囲環境からの可視光１を反射し、第２反射層に含まれる電気的に活性な粒子はオブジェクトの周囲環境からの赤外線１１を反射することができ、そして第３反射層に含まれる電気的に活性な粒子はオブジェクトの周囲環境からの無線周波数放射線２１を反射することができる。別の実施形態では、第１ホスト材料は可視光、赤外線、及び無線周波数放射線を透過し、第２ホスト材料は赤外線及び無線周波数放射線を透過し、そして第３ホスト材料は無線周波数放射線を透過する。他の実施形態では、電気的に活性な粒子６０，６１，及び６２は厳密に、または概略、球、ビーズ、長円、シリンダの形状、またはこれらの構造体を組み合わせた形状とすることができ、そして第１ホスト材料、第２ホスト材料、及び第３ホスト材料はそれぞれ個々に、ポリカーボネート、ポリエステル、ポリアミド（例えば、ナイロン）、ポリシロキサン（例えば、シリコーン及び架橋シリコーン）、ポリエチレン、及びポリプロピレンから成るグループから選択される高分子材料である。他の実施形態では、電気的に活性な粒子は、該当するホスト材料の空洞に含まれるホスト流体に分散させたフレークの形状である。反射可視光２は、オブジェクト５０を偽装して、可視光検出器によってオブジェクトが検出されるリスクを小さくするために適する選択可視光画像を形成することができる。同様に、反射赤外線１２は、オブジェクト５０を偽装して、赤外線撮像システムによってオブジェクトが検出されるリスクを小さくするために適する選択赤外線画像を形成することができる。同様に、反射無線周波数放射線２２は、オブジェクト５０を偽装して、レーダ検出器によってオブジェクトが検出されるリスクを小さくするために適する選択レーダ画像を形成することができる。可視光画像、赤外線画像、及びレーダ画像は、適切な電圧パターンを可視光反射層３、赤外線反射層１３、レーダ反射層２３の各々に、複数の調整可能電圧パターン中間層４０によって個別に印加することにより制御することができる。これらの調整可能電圧パターン中間層４０の各々は、オブジェクト５０の表面３０を覆うように、そして／またはこれらの２つの隣接層の間の界面に配置することができる。この技術分野の当業者であれば、第１反射層３を改質して、当該層が可視光以外の、ＵＶ光、赤外線、マイクロ波、無線周波数放射線、またはこれらの光の組み合わせのような別の光線を反射することができるようにすることができる。同様に、この技術分野の当業者であれば、第２反射層１３を改質して、当該層が赤外線以外の、可視光、ＵＶ光、マイクロ波、または無線周波数放射線のような別の光線を反射することができるようにすることができる。同様に、この技術分野の当業者であれば、第３反射層２３を改質して、当該層が無線周波数放射線以外の、可視光、ＵＶ光、マイクロ波、または赤外線のような別の光線を反射することができるようにすることができる。
【００１７】
可視光反射層３はホスト材料を含むことができ、ホスト材料は可視光を十分に透過するので、可視光スペクトルの少なくとも一部分を透過することができる。任意であるが、可視光反射層３のホスト材料は、赤外線、無線周波数放射線、マイクロ波、及びＵＶ光のような、電磁スペクトルの少なくとも別の部分を十分に透過することができる。可視光反射層に適するホスト材料の例として、これらに制限されないが、ポリカーボネート、ポリエステル、ポリアミド（例えば、ナイロン）、ポリシロキサン（例えば、シリコーン及び架橋シリコーン）、ポリエチレン、及びポリプロピレンを挙げることができる。ホスト材料に混入させるのは、可視光を反射する複数の電気的に活性な粒子である。可視光を反射する電気的に活性な粒子の幾つかの例として、これらには制限されないが、２色ビーズまたはシリンダ、分割型多色ビーズまたはシリンダ、高分子液晶及びポリマー複屈折性フレーク、及びマイクロカプセル化インクビーズを挙げることができる。
【００１８】
或る関連実施形態では、可視光反射層はホスト材料、及びホスト材料に回転可能に混入させた複数の２色ビーズまたはシリンダ、及び／又は分割型多色ビーズまたはシリンダを含むことができる。２色ビーズ及び分割型多色ビーズは、約１０μｍ〜約１ｍｍの範囲のサイズを有するほぼ球形の、または楕円形の粒子である。他の関連実施形態では、適応的カモフラージュ構造の可視光反射層に含まれる電気的に活性な粒子は、ほぼ球形の２色ビーズを含む。これらの２色ビーズの各々は、光学異方性を発現するためにコントラストカラー（例えば、黒及び白、赤及び白など）を施した２つのほぼ同じ大きさの半球を有する。２つの着色半球は、異なる材料を使用して光学異方性を発現することによって２つの異なるゼータ電位を持つことができる。ゼータ電位に差が生じることによって、２色ビーズの各々は逆極性の電荷に帯電するので、各ビーズは光学異方性に対応する電気異方性を示す。電圧が可視光反射層に含まれる２色ビーズに印加されると、２色ビーズは回転して一方の着色半球を観察者の方に向けるが、いずれの着色半球が向くかは印加電圧の極性によって変わる。電圧パターンが２色ビーズの全てに、可視光反射層に隣接する調整可能電圧パターン中間層４０によって印加されると、これらの２色ビーズはそれぞれ個々に回転して一つのカラーを提示して選択可視画像を一括して形成するようになる。可視画像は、電力を要することなく新規の電圧パターンが印加されるまで長時間に渡って正規の位置で保持することができる。
【００１９】
２色ビーズはこの技術分野で公知の従来の方法によって作製することができる。例えば、２色ビーズは、酸化チタンのような光反射材料を、ブラックポリエチレンを含むビーズの一方の半球にスパッタリングすることにより作製することができる。別の方法として、２色ビーズは、直径が約１０μｍ〜１ｍｍの白ガラスビーズの一方の半球に、インジウムのような無機着色材料を蒸着することにより作製することができる。別の方法として、２色ビーズは、真空蒸着チャンバ内で白顔料（例えば、酸化チタン）を厚く付けたガラスビーズの一方の半球に、非導電性黒色材料（例えば、グラファイト、チタン炭窒化物、及びフッ化マグネシウム及びアルミニウムの混合物）から成る層をコーティングすることにより作製することができる。２色ビーズは、（ａ）白に着色されたポリエチレン半円層を、マグネタイトを含有するポリエチレン半円黒色層と共押し出しすることにより２色繊維を形成し、（ｂ）結果として得られる２色繊維を切り刻んで、約１０μｍ〜約１０ｍｍの範囲の大きさの微細２色粒子とし、（ｃ）２色粒子を粘度材料または抗固結性材料と混合し、そして（ｄ）混合物を液体と一緒に約１２０℃で加熱して２色粒子を球状にし、続いて冷却して２色ビーズの固化を可能にすることにより作製することもできる。
【００２０】
この技術分野で公知の方法のような他の多くの方法を利用して２色ビーズまたは分割型多色ビーズを作製することもできる。適切な方法を実行するために適する装置の例として、これらには制限されないが、図３〜６に示す装置を挙げることができる。図３によれば、第１着色硬化性液体材料６６及び第２着色硬化性液体材料６７を送液手段（図示せず）によって、シャフト６３の周りを一様に回転するスピンディスク６２の両側６４，６５に吐出する。着色硬化性液体材料６６，６７は、液体カルナバワックス及び溶融ポリエチレンのような溶融液、及びカラー顔料を含むことができる。遠心力によって、第１及び第２着色硬化性液体材料６６，６７はディスク６２の周辺に向かって流れ、この場合、これらの材料はエッジで混合されて２色流体６８を形成し、２色流体は不安定になり、最終的に分裂して２色ビーズ６９となる。液体６６，６７が同じ速度でディスク６２のエッジに向かって流れる場合、この方法によって同じ大きさのカラー半球を持つ２色ビーズを形成することができる。２色ビーズは、室温で冷却することにより固化することができる、または冷却は、２色ビーズを液体窒素またはＣＯ２蒸気（図示せず）を含む冷却ゾーンを通すことにより加速することができる。この方法により作製される２色ビーズ６９は概略、直径が約５〜約２００ミクロンであり、直径の大きさは、スピンディスク６２の回転速度、及び溶融液の粘弾性特性によって変わる。
【００２１】
図４及び５を参照すると別の方法が示され、当該方法では、内部に発生する双極子モーメントを有する２色ビーズ９９及び１０１を、２つの異なる着色硬化性液体材料９３及び９４を二連式ノズル９１で混合する、またはスピンディスク１００上で混合することにより作製する。液体材料９３及び９４は、正電極９５及び負電極９６によって帯電し、そして二連式ノズル９１の噴射口での、またはスピンディスクの縁での静電吸着によって混ざることにより、それぞれの２色ビーズ９９及び１０１を形成し、これらの２色ビーズの全ては内部に発生する双極モーメントを有する。
【００２２】
他の関連実施形態では、適応的カモフラージュ構造の可視光反射層に含まれる電気的に活性な粒子は分割型多色ビーズを含む。図６を参照すると、分割型多色ビーズは、３つのスピンディスク７１から成るアセンブリを使用することにより作製することができる。異なる着色硬化性液体材料は、送液手段（図示せず）によって、シャフト７５の周りを一様に回転する３つのスピンディスク７２，７３，７４の各々の各側に吐出することができる。これらの着色硬化性液体材料は、ディスクのエッジで混合されて分割多色流体を形成し、これらの多色流体は不安定になり、最終的に分裂して分割型多色ビーズとなる。任意であるが、着色硬化性液体材料はそれぞれ個別に、正電極及び／又は負電極によって帯電させることができる。
【００２３】
２色ビーズまたはシリンダ、及び分割型多色ビーズまたはシリンダに関する作製方法、及びアドレス指定法、または配向方法については、米国特許第６，６９０，３５０号、第６，５４２，２８３号、第６，５２４，５００号、第６，４９７，９４２号、第６，４９６，２９８号、第６，４９２，９６７号、第６，４４１，９４６号、第６，４２８，８６８号、第６，４２１，０３５号、第６，３９６，６２１号、第６，３６２，９１５号、第６，３３５，８１８号、第６，２６２，７０７号、第６，１２０，５８８号、第６，０５５，０９１号、第５，９８２，３４６号、第５，９２２，２６８号、第５，９１９，４０９号、第５，９１７，６４６号、第５，９０４，７９０号、第５，８９４，３６７号、第５，８９１，４７９号、第５，８１５，３０６号、第５，８０８，５９３号、第５，７７７，７８２号、第５，７６７，８２６号、第５，７６０，７６１号、第５，７５１，２６８号、第５，７１７，５１５号、第５，７１７，５１４号、第５，７１７，２８３号、第５，７０８，５２５号、第５，３４４，５９４号、第５，２６２，０９８号、第５，０７５，１８６号、第４，１４３，１０３号、及び第４，１２６，８５４号に開示されており、これらの文献の全てをここで参照することにより、これらの文献の内容が本明細書に組み込まれる。
【００２４】
他の関連実施形態では、適応的カモフラージュ構造の可視光反射層に含まれる電気的に活性な粒子は、マイクロカプセル化インクビーズを含む。各マイクロカプセル化インクビーズは、オイルのような透明液に懸濁させた正帯電粒子及び負帯電粒子を含むほぼ球形のマイクロカプセルであり、この場合、正帯電粒子及び負帯電粒子は可視光を反射する、そして／または吸収することができる。或る実施形態では、正帯電粒子及び負帯電粒子は共に着色される。他の実施形態では、各マイクロカプセル化インクビーズは、正帯電白色粒子及び負帯電黒色粒子を含み、これらの粒子の全てはビーズ内のオイルに懸濁させる。従って、負電界がこのようなマイクロカプセル化インクビーズに印加されると、負帯電黒色粒子がマイクロカプセル化インクビーズの下部に移動し、この位置で負帯電黒色粒子が隠れ、正帯電白色粒子がマイクロカプセル化インクビーズの上部に移動し、この位置で正帯電白色粒子が可視白色光を観察者に向けて反射することができる。このプロセスは、正電界を印加して、負帯電黒色粒子をマイクロカプセル化インクビーズの上部に移動させ、この位置で負帯電黒色粒子が可視光を吸収するようにすることにより逆にすることができる。マイクロカプセル化インクビーズは、米国特許第６，０６７，１８５号に開示されているような多くの従来のカプセル化方法によって作製することができ、この文献はここで参照することにより、当該文献の内容が本明細書に組み込まれる。
【００２５】
マイクロカプセル化に適する多数の手順は、Ｐｌｅｎｕｍ  Ｐｒｅｓｓ，  Ｎｅｗ  Ｙｏｒｋ，  Ｎ．Ｙ．  （１９７４）に掲載された「マイクロカプセル化、プロセス及び用途（Ｉ．  Ｅ．  Ｖａｎｄｅｇａｅｒ著）」と題する論文、及びＮｕｙｅｓ  Ｄａｔａ  Ｃｏｒｐ．，  Ｐａｒｋ  Ｒｉｄｇｅ，  Ｎ．Ｊ．  （１９７６）に掲載されたＧｕｔｃｈｏによる「マイクロカプセル及びマイクロカプセル化技術」と題する論文の両方に詳細が記載されており、これらの文献の両方をここで参照することにより、これらの文献の内容が本明細書に組み込まれる。マイクロカプセル化プロセスは幾つかの一般的なカテゴリー、すなわち界面重合、インサイチュ（ｉｎ−ｓｉｔｕ）重合、共押し出しプロセス及び他の相分離プロセスのような物理的プロセス、液体内硬化、及び単純／複雑コアセルベーションに分類することができ、これらのプロセスの全てを適用して、可視光または他の電磁放射線を反射する電気的に活性なビーズを形成することができる。マイクロカプセル化インクビーズを作製する一の実施形態では、正帯電粒子及び負帯電粒子、オイル、及び塩化セバコイル（Ａｌｄｒｉｃｈ製の）から成る混合物を含むオイル相を水に、２００〜５００ｒｐｍのような速度及び室温で攪拌させながら分散させて、粒子及びジカルボン酸二塩化物を含むオイル液滴の分散液を調製する。マイクロカプセル化インクビーズは、分散液にジアミン水溶液を加え、この水溶液がジカルボン酸二塩化物と、液滴と周囲の水溶液媒質との間の界面で反応して、ポリアミドシェル（ｐｏｌｙａｍｉｄｅ  ｓｈｅｌｌ）を各液滴の周りに形成することにより形成される。適切なジカルボン酸二塩化物の例として、これらには制限されないが、塩化マロニル、塩化スクシニル、塩化グルタリル、塩化アジピル、塩化ピメロイル、塩化スベロイル、塩化アゼラオイル、塩化セバコイル、及び塩化テレフタロイルを挙げることができる。適切なジアミンの例として、これらには制限されないが、１，１０−ジアミノデカン、１，８−ジアミノオクタン、１，７−ジアミノへプタン、１，６−ジアミノへキサン、１，５−ジアミノペンタン、１，４−ジアミノブタン、１，３−ジアミノプロパン、１，２−ジアミノエタン、及び１，４−ベンゼンジアミンを挙げることができる。同様に、ポリ尿素シェル（ｐｏｌｙｕｒｅａ  ｓｈｅｌｌ）は、ジカルボン酸二塩化物を、メチレンジフェニルジイソシアネート、１，６−ヘキサメチレンジイソシアネート、１，５−ナフタレンジイソシアネート、及び２，４−トルエンジイソシアネートのようなオイル溶解性ジイソシアネートで置換することにより形成することができる。同様に、ポリエステルシェル（ｐｏｌｙｅｓｔｅｒ  ｓｈｅｌｌ）は、ジアミンを、エチレングリコール、１，３−プロパネジオール、１，４−ブタネジオール、１，５−ペンタネジオール、１，６−ヘキサンジオール、１，８−オクタンジオール、１，１０−デカンジオール、及びヒドロキノンのような水溶性ジオールで置換することにより形成することができる。同様に、ポリウレタンシェル（ｐｏｌｙｕｒｅｔｈａｎｅ  ｓｈｅｌｌ）は、水溶性ジオールをオイル溶解性ジイソシアネートと反応させることにより形成することができる。マ��クロカプセル化インクビーズの作製方法及び用途に関する更に詳細な情報は、米国特許第６，７５３，９９９号、第６，７３８，０５０号、第６，７２７，８８１号、第６，７２４，５１９号、第６，７２１，０８３号、第６，７１０，５４０号、第６，７０４，１３３号、第６，６５２，０７５号、第６，４２２，６８７号、第６，１２０，５８８号、第６，１１８，４２６号、第６，０６７，１８５号、及び第６，０１７，５８４号に開示されており、これらの文献の全てをここで参照することにより、これらの文献の内容が本明細書に組み込まれる。
【００２６】
他の関連実施形態では、適応的カモフラージュ構造の可視光反射層に含まれる電気的に活性な粒子は、電気的に活性な液晶ポリマーフレークまたは電気的に活性な複屈折ポリマーフレークを含む。電気的に活性なフレークは、ネマチック液晶ポリマー材料及びコレステリック液晶ポリマー材料のような液晶ポリマー材料により作製することができる。電気的に活性なフレークは、液晶性を示さない複屈折ポリマーにより作製することもできる。電気的に活性なフレークは、シリコン基板の表面に高温で、液晶ポリマーまたは複屈折ポリマーを含む無溶剤型塗膜を成形することにより作製することができる。次に、成形で得られた塗膜を、液体窒素をシリコン基板の上に注ぐことにより破砕して電気的に活性なフレークとする。電気的に活性なフレークは０．１〜５００ミクロンの範囲のサイズを有する。電気的に活性なフレークのサイズは、ボールミリング、サンドミリング、及びハンマー粉砕のような従来のミリング法により更に小さくすることができる。
【００２７】
電気的に活性なフレークは、適応的カモフラージュ構造の可視光反射層のホスト材料全体に渡って分布する空洞に含まれるホスト流体に分散させることができる。別の構成として、電気的に活性なフレークは、可視光を透過するシェルを有するマイクロカプセルに含まれるホスト流体に分散させることができる。液晶ポリマーフレークまたは複屈折ポリマーフレークの作製方法及び用途は、米国特許第６，６６５，０４２号に開示されており、この文献をここで参照することにより、この文献の内容が本明細書に組み込まれる。
【００２８】
一般的に、可視光反射層は可視光検出器に向かって、空及び周囲環境からの可視光を反射して、偽装オブジェクトが周囲環境のように見えるようにする。或る関連実施形態では、可視光反射層は、電気的に活性な上述の複数の可視光反射粒子を、架橋シリコーンのようなホスト材料に混入させ、次に硬化させ、そしてシリコーンオイルのようなオイルに浸すことにより作製することができる。ホスト材料はオイルを吸収し、そして膨潤する。膨潤プロセスによって、電気的に活性な可視光反射粒子を保持する非常に小さいオイル充填空洞が形成される。電気的に活性な可視光反射粒子は電圧が印加されるとこのような空洞の内部で回転することができる。回転角は、電界の強度によって制御することができる。電気的に活性な可視光反射粒子と空洞壁との間の接着力に打ち勝つために、電界閾値を超える電界が、これらの粒子が回転する前に印加される。これにより、可視光反射層上に安定な可視画像が形成され、この画像は、別の電界が印加されて変化するまでそのままの状態となる。このようにして印加される電気信号によって、種々の選択画像を可視光反射層上に必要に応じて形成することができる。
【００２９】
赤外線反射層１３は、赤外線を十分に透過して、赤外線スペクトルの少なくとも一部分を透過することができるホスト材料を含むことができる。任意であるが、赤外線反射層１３のホスト材料は、無線周波数放射線、マイクロ波、ＵＶ光、及びこれらの光の組み合わせのような他の電磁放射線を十分に透過して、他の電磁放射線の少なくとも一部分を透過することができる。赤外線反射層１３に適するホスト材料の例として、これらには制限されないが、ポリカーボネート、ポリエステル、ポリアミド（例えば、ナイロン）、ポリシロキサン（例えば、シリコーン及び架橋シリコーン）、ポリエチレン、ポリプロピレン、及び導電ポリマーを挙げることができ、導電ポリマーとしては、ポリアニリン、ポリピロール、ポリチオフェン、ポリ（ｐ−フェニレン）、ポリアセチレン、ポリ（ｐ−フェニレンビニレン）、及びこれらの材料の組み合わせを挙げることができる。ホスト材料に混入させるのは電気的に活性な複数の赤外線反射粒子であり、これらの粒子は赤外線スペクトルの少なくとも一部分を反射する。電気的に活性な赤外線反射粒子は厳密に、または概略、球、長円、シリンダ、円盤、フレーク、マイクロカプセルのような形状、またはこれらの構造体を組み合わせた形状とすることができる。
【００３０】
或る実施形態では、電気的に活性な赤外線反射粒子は、電気的に活性な赤外線反射ビーズまたはシリンダを含む。電気的に活性な赤外線反射ビーズは、１０μｍ〜１ｍｍの直径を有する電気異方性ビーズの各々の少なくとも一部分に、赤外線反射材料をコーティングすることにより作製することができる。同様に、電気的に活性な赤外線反射シリンダは、電気異方性シリンダの各々の少なくとも一部分に赤外線反射材料をコーティングすることにより作製することができる。電気異方性ビーズまたはシリンダは、２色ビーズまたはシリンダ、または分割型多色ビーズまたはシリンダについて上に説明した同じ、または同様の方法により作製することができる。
【００３１】
材料の赤外線反射率は、当該材料が赤外線を反射する能力である。赤外線反射率が高い材料は一般的に光を強く反射し、赤外線反射率が低い材料は一般的に光をほとんど反射しない。暖められたオブジェクトは、赤外線反射率の高い材料を使用することによりオブジェクトの表面が背景赤外線を反射するようにした場合に、赤外線検出器に対して相対的に冷たく見えるようにすることができる。一般的に、材料の赤外線反射率は材料の電子移動度が大きくなるにつれて高くなる。一般的に、金属のような電子移動度が大きい良好な導電体は反射率が非常に高く、５０％超の赤外線反射率を示す。良好な赤外線反射材料（すなわち、５０％超の赤外線反射率を有する材料）の例として、これらには制限されないが、金属及び金属酸化物を挙げることができる。ガラス及び有機材料のような導電率が低い導体は一般的に、反射率が非常に低く、かつ赤外線反射率が低い（すなわち、５０％未満の赤外線反射率）反射体である。一般的に、空及びオブジェクトの周囲環境は、赤外線領域の光をカモフラージュする場合の対象となるオブジェクトよりも熱的に冷たい。本発明の赤外線反射層１３は赤外線検出器に向けて、空及び周囲環境からの相対的に少ない量の赤外線を反射し、同時に、赤外線検出器から離れる方向にオブジェクトの赤外線を反射し、オブジェクトが熱的に冷たく、かつ周囲環境のように見えるようにすることによりオブジェクトの温度が判別できないようにする。
【００３２】
電気的に活性な赤外線反射ビーズまたはシリンダを作製する方法の特定の例は、これらには制限されないが、金属及び金属酸化物のような赤外線反射材料を、ガラス及び有機材料（例えば、ポリエチレン）のような５０％未満の赤外線反射率を有する非導電材料を含むビーズまたはシリンダの少なくとも一部分にコーティングする工程を含む。ビーズはほぼ球形または楕円形である。ビーズまたはシリンダは約１０μｍ〜約１ｍｍの範囲のサイズを有する。適切な金属の例として、これらには制限されないが、アルミニウム、スカンジウム、チタン、バナジウム、クロム、マンガン、鉄、コバルト、ニッケル、銅、亜鉛、ガリウム、ゲルマニウム、イットリウム、ジルコニウム、ニオビウム、モリブデン、テクネチウム、ルテニウム、ロジウム、パラジウム、銀、カドミウム、インジウム、錫、アンチモン、ランタン、ガドリニウム、ハフニウム、タンタル、タングステン、レニウム、オスミウム、イリジウム、白金、金、タリウム、及び鉛、及び金属合金を挙げることができる。適切な金属酸化物の例として、これらには制限されないが、酸化インジウム、酸化錫、酸化インジウム錫、スズ酸カドミウム（Ｃｄ２ＳｎＯ４）、銅添加スズ酸カドミウム、スズ酸化物、及びフッ素添加スズ酸化物を挙げることができる。非金属及び赤外線反射材料は異なるゼータ電位を有するので、結果として得られるビーズまたはシリンダは電気異方性を示し、従って電気的に活性になる。別の方法として、電気的に活性な赤外線反射ビーズは、直径が約１０μｍ〜約１ｍｍの低赤外線反射率ガラスビーズの半球に、赤外線反射材料を蒸着によってコーティングすることにより作製することができる。結果として得られるビーズは電気異方性を示し、従って電気的に活性になるが、これは、ガラス及び赤外線反射材料が異なるゼータ電位を有するからである。別の方法として、電気的に活性な赤外線反射ビーズまたはシリンダは、高い赤外線反射率を有するプレコート処理金属被覆ビーズまたはシリンダの少なくとも一部分に、低い赤外線反射率を有する材料をコーティングすることにより作製することができる。
【００３３】
ビーズまたはシリンダに施すコーティングは、採用する特定のコーティング材料の塗布に関する従来の方法、例えば液体コーティング、流動ベッドコーティング、スプレー、回転噴霧、モノマー噴霧／重合、気相成長、スパッター堆積などにより行なうことができる。任意であるが、ビーズは、音響浮揚技術により、または公知の流動ベッドにより浮遊させることができる。
【００３４】
他の関連実施形態では、赤外線反射層１３に含まれる電気的に活性な赤外線反射粒子は電気的に活性な赤外線反射マイクロカプセルを含む。電気的に活性な各赤外線反射マイクロカプセルは、シェルと、シェル内のオイルまたは担体液と、そして担体液に分散させた、逆極性電荷または逆帯電極性を有する複数の２つの異なる種類の粒子と、を含む。２つの異なる種類の粒子の内の第１粒子は、金属及び金属酸化物のような複数の導電材料粒子である。２つの異なる種類の粒子の内の第２粒子は、種々のガラス及び有機材料のような複数の非導電材料粒子である。導電材料粒子及び非導電材料粒子は厳密に、または概略、不規則構造体、球、ビーズ、長円、シリンダ、円盤、フレークの形状、またはこれらの構造体を組み合わせた形状とすることができる。電気的に活性な赤外線反射マイクロカプセルはほぼ球形または楕円形である。或る実施形態では、赤外線を反射する機能を持つ導電粒子は正に帯電し、そして赤外線を反射しない非導電粒子は負に帯電する。負の電界をこのような電気的に活性な赤外線反射マイクロカプセルに印加すると、負に帯電し、かつ赤外線を反射しない粒子は、電気的に活性な赤外線反射マイクロカプセルシェルの下部に移動し、この位置でこれらの粒子が隠れてしまい、正に帯電した赤外線反射粒子は、電気的に活性な赤外線反射マイクロカプセルシェルの上部に移動し、この位置でこれらの粒子が赤外線を赤外線検出器に向けて反射することができる。このプロセスは、正の電界を印加し、この電界によって負帯電粒子を電気的に活性な赤外線反射マイクロカプセルの上部に移動させてこれらの粒子が赤外線を吸収するようになることにより逆にすることができる。
【００３５】
電気的に活性な赤外線反射マイクロカプセルシェルを作製する一の実施形態では、導電粒子、非導電粒子、オイル、及び塩化セバコイル（Ａｌｄｒｉｃｈ製の）のようなジカルボン酸二塩化物から成る混合物を含むオイル相を水に、２００〜５００ｒｐｍのような速度及び室温で攪拌して分散させて、粒子及びジカルボン酸二塩化物を含むオイル液滴の分散液を調製する。次に、マイクロカプセル化インクビーズは、分散液にジアミン水溶液を加え、この水溶液がジカルボン酸二塩化物と、液滴と周囲の水溶液媒質との間の界面で反応して、ポリアミドシェルを各液滴の周りに形成することにより形成される。同様に、ポリ尿素シェルは、ジカルボン酸二塩化物をジイソシアネートで置換し、ジイソシアネートをジアミンと反応させることにより形成することができる。同様に、ポリエステルシェルは、ジアミンをジオールで置換し、ジオールをジカルボン酸二塩化物と反応させることにより形成することができる。同様に、ポリウレタンシェルは、ジオールをジイソシアネートと反応させることにより形成することができる。適切なオイル、またはオイル相の担体液の例として、これらには制限されないが、石油、ナフサ、リグロイン、ヘキサン、ペンタン、ヘプタン、オクタン、イソドデカン、イソノナン、及びシクロヘキサンのような直鎖状、分枝状、及び脂環式の炭化水素、ベンゼン、トルエン、及びキシレンのような芳香族炭化水素、１，１，２−トリクロロ−１，２，２−トリフルオロエチレン、トリクロロモノフルオロメタン、及び四塩化炭素のようなハロカーボン液体、及びテキサス州ヒューストンに本拠を置くＥｘｘｏｎ  Ｃｏｍｐａｎｙ製の種々のＩｓｏｐａｒＴＭ担体液、及びテキサス州ヒューストンに本拠を置くＥｘｘｏｎＭｏｂｉｌｅ  Ｃｈｅｍｉｃａｌ製のＮｏｒｐａｒＴＭ担体液のようなイソパラフィン炭化水素を挙げることができる。電気的に活性な赤外線反射マイクロカプセルのサイズは、１〜１０００ミクロンの範囲で変化し得る。
【００３６】
或る実施形態では、赤外線反射導電粒子は、アルミニウム、金、銀、酸化インジウム、酸化錫、酸化インジウム錫、スズ酸カドミウム（Ｃｄ２ＳｎＯ４）、銅添加スズ酸カドミウム、スズ酸化物、及びフッ素添加スズ酸化物のような、金属及び金属酸化物から成る粒子を含む。他の関連実施形態では、金属粒子のサイズは１ナノメートル〜１ミクロンの範囲である。赤外線反射金属粒子は、この技術分野で公知の方法により作製することができ、公知の方法として、金属塩還元法、金属蒸着法、界面活性剤による安定化を用いる金属分散方法、及び米国特許第４，８９２，７９８号、第５，０８９，３６２号、第５，３１２，６８３号、第５，３２２，７５１号、第５，３３２，６４６号、及び第５，４３７，９１２号に開示されている方法を挙げることができ、これらの文献の全てをここで参照することにより、これらの文献の内容が本明細書に組み込まれる。別の関連実施形態では、赤外線を反射しない粒子は、ガラスから成る、またはプラスチック及びエラストマーのような有機材料から成る粒子である。電気的に活性な赤外線反射マイクロカプセルに含ませる金属は、０．０１〜５．０ｇ／１００ｍｌの範囲の割合でオイルに溶かし込むことができる。
【００３７】
他の関連実施形態では、赤外線反射層１３に含まれる電気的に活性な赤外線反射粒子は、電気的に活性な赤外線反射マイクロカプセルを含む。電気的に活性な各赤外線反射マイクロカプセルは、シェルと、シェル内のオイルまたは担体液と、そして担体液に分散させた複数の赤外線反射フレークと、を含む。電気的に活性な赤外線反射マイクロカプセルはほぼ球形または楕円形である。赤外線反射フレークは、シリコン基板の表面に高温で、液晶ポリマーまたは複屈折ポリマーを含む無溶剤型塗膜を成形することにより作製することができる。次に、成形で得られた塗膜の外側表面に赤外線反射金属をコーティングするが、赤外線反射金属としては、アルミニウム、スカンジウム、チタン、バナジウム、クロム、マンガン、鉄、コバルト、ニッケル、銅、亜鉛、ガリウム、ゲルマニウム、イットリウム、ジルコニウム、ニオビウム、モリブデン、テクネチウム、ルテニウム、ロジウム、パラジウム、銀、カドミウム、インジウム、錫、アンチモン、ランタン、ガドリニウム、ハフニウム、タンタル、タングステン、レニウム、オスミウム、イリジウム、白金、金、タリウム、及び鉛、及び金属合金を挙げることができる。金属コーティングは、従来のコーティング装置によって塗布することができる。適切なコーティング装置の例として、これらには制限されないが、カリフォルニア州サニーベールに本拠を置くＳＡＭＣＯ製のプラズマ支援ＣＶＤシステムであるＭｏｅｄｌ  ＰＤ−２００Ｄ、テキサス州オースチンに本拠を置くＮａｎｏ−ｍａｓｔｅｒ製のＰＥＣＶＤシステムであるｍｏｄｅｌ  ＮＰＥ−４０００、ニューヨーク州ブレントウッドに本拠を置くＴｅｋ−Ｖａｃ  Ｉｎｄｕｓｔｒｉｅｓ製の超高真空ＣＶＤプロセスシステムであるＭｏｄｅｌ  ＵＨＶ−ＣＶＤ−５０００のような化学気相成長システム；テキサス州オースチンに本拠を置くＮａｎｏ−ｍａｓｔｅｒ製のスパッタリングコータであるｍｏｄｅｌ  ＮＳＣ  ４０００及び３０００、全てがニュージャージー州ムーアズタウンに本拠を置くＤｅｎｔｏｎ  Ｖａｃｃｕｍ製のＥＸＰＬＯＲＥＲＴＭ  １４  Ｍａｇｎｅｔｒｏｎ  Ｓｐｕｔｔｅｒｉｎｇ  Ｓｙｓｔｅｍ，  ＤＩＳＣＯＶＥＲＹ（登録商標）１８  ＤＣ／ＲＦ  Ｒｅｓｅａｒｃｈ  Ｍａｇｎｅｔｒｏｎ  Ｓｐｕｔｔｅｒ  Ｄｅｐｏｓｉｔｉｏｎ  Ｓｙｓｔｅｍ，  ＤＩＳＣＯＶＥＲＹ（登録商標）２４  Ｍｕｌｔｉ−Ｃａｔｈｏｄｅ  ＤＣ／ＲＦ  Ｍａｇｎｅｔｒｏｎ  Ｓｐｕｔｔｅｒ  Ｓｙｓｔｅｍ，及びＢｅｎｃｈ  Ｔｏｐ  Ｔｕｒｂｏ  ＩＶ  Ｈｉｇｈ  Ｖａｃｕｕｍ  Ｄｅｐｏｓｉｔｉｏｎ  Ｓｙｓｔｅｍのようなスパッタリングシステム；参照することにより内容が本明細書に組み込まれる米国特許第４，８７１，７９０号に記載されるようなガス蒸着リアクター；クラブンデ（Ｋｌａｂｕｎｄｅ）タイプの平衡反応器；及びＴｏｒｒｏｖａｐＴＭ構造の回転式反応器（カナダオンタリオ州マーカムに本拠を置くＴｏｒｒｏｖａｐ  Ｉｎｄｕｓｔｒｉｅｓ製）を挙げることができる。次に、金属被覆コーティングを、液体窒素をシリコン基板に注ぐことによって粉砕して複数の電気的に活性な赤外線反射フレークとする。電気的に活性な赤外線反射フレークはオイルに分散させ、次に上に説明したカプセル化��法に従ってマイクロカプセルとすることができる。
【００３８】
任意であるが、界面活性剤を使用して赤外線反射フレーク、導電粒子、または非導電粒子をオイルに容易に分散させることができる。赤外線反射フレーク及び導電粒子に適する界面活性剤の例として、これらには制限されないが、ＡｃｔｉｐｏｌＴＭ  Ｅ６，Ｅ１６，及びＥ２３（イリノイ州シカゴに本拠を置くＡｍｏｃｏ  Ｃｈｅｍｉｃａｌ  Ｃｏ．製）のようなエポキシド末端化されたポリイソブチレン；ＬｕｂｒｉｚｏｌＴＭ  ６４０１及びＬｕｂｒｉｚｏｌＴＭ  ６４１８（オハイオ州ウィックリフに本拠を置くＴｈｅ  Ｌｕｂｒｉｚｏｌ  Ｃｏｒｐｏｒａｔｉｏｎ製）、ＡＭＯＣＯＴＭ  ９２５０（イリノイ州ネイパービルに本拠を置くＡＭＯＣＯ  Ｐｅｔｒｏｌｅｕｍ  Ａｄｄｉｔｉｖｅｓ  Ｃｏｍｐａｎｙ製）、及びＯＬＯＡＴＭ  １２００（カリフォルニア州サンフランシスコに本拠を置くＣｈｅｖｒｏｎ  Ｃｈｅｍｉｃａｌ  Ｃｏｍｐａｎｙ製の低分子重量ポリイソブチレンであって、スクシニミド環によってジアミン頭部に結合させるポリイソブチレン）のような市販のオイル添加剤；及びＳｏｌｓｐｅｒｓｅＴＭ  １７，０００（デラウェア州ウィルミントンに本拠を置くＩＣＩ  Ａｍｅｒｉｃａｓ  Ｉｎｃ．製）のような炭化水素用高濃度分散剤を挙げることができる。一般的に、界面活性剤の濃度は流体総量に対して０．００１〜１０．０ｇ／１００ｍＬの範囲である。
【００３９】
任意であるが、電荷付与剤または電荷制御剤を使用して赤外線反射フレーク、導電粒子、または非導電粒子の帯電量を制御することができる。電荷付与剤は、正電荷または負電荷を粒子またはフレークに付与することができる。適切な正電荷付与剤の例として、これらには制限されないが、多価金属イオン及び対イオンとしての有機陰イオンから成る有機酸金属塩を挙げることができる。適切な金属イオンの例として、これらには制限されないが、Ｂａ（ＩＩ），Ｃａ（ＩＩ），Ｍｎ（ＩＩ），Ｚｎ（ＩＩ），Ｚｒ（ＩＶ），Ｃｕ（ＩＩ），Ａｌ（ＩＩＩ），Ｃｒ（ＩＩＩ），Ｆｅ（ＩＩ），Ｆｅ（ＩＩＩ），Ｓｂ（ＩＩＩ），Ｂｉ（ＩＩＩ），Ｃｏ（ＩＩ），Ｌａ（ＩＩＩ），Ｐｂ（ＩＩ），Ｍｇ（ＩＩ），Ｍｏ（ＩＩＩ），Ｎｉ（ＩＩ），Ａｇ（Ｉ），Ｓｒ（ＩＩ），Ｓｎ（ＩＶ），Ｖ（Ｖ），Ｙ（ＩＩＩ），及びＴｉ（ＩＶ）を挙げることができる。適切な有機陰イオンの例として、これらには制限されないが、脂肪族、または芳香族カルボキシル酸またはスルホン酸から誘導されるカルボン酸塩またはスルホン酸塩、好適には、ステアリン酸、ベヘン酸、ネオデカン酸、ジイソプロピルサリチル酸、アビエチン酸、ナフテン酸、オクタン酸、ラウリン酸、タリン酸などのような脂肪族脂肪酸を挙げることができる。或る実施形態では、正電荷付与剤は、ここで参照することにより内容が本明細書に組み込まれる米国特許第３，４１１，９３６号に記載されるカルボン酸金属塩（石鹸）であり、カルボン酸金属塩は、少なくとも６〜７個の炭素を含む脂肪酸のアルカリ土類塩及び重金属塩、及びナフテン酸を含む環状脂肪族酸を含む。他の実施形態では、正電荷付与剤は、ジルコニウム及びアルミニウムから成る多価金属石鹸である。別の実施形態では、正電荷付与剤は、オクタン酸から成るジルコニウム石鹸（オハイオ州クリーブランドに本拠を置くＭｏｏｎｅｙ  Ｃｈｅｍｉｃａｌｓ製のＺｉｒｃｏｎｉｕｍ  ＨＥＸ−ＣＥＭ）である。適切な負電荷付与剤の例として、これらには制限されないが、窒素含有モノマーを有するポリマーまたはコポリマー、第４級アンモニウムブロックコポリマー、レシチン、塩基性バリウムペトロネート、塩基性カルシウムペトロネート、及び塩基性ナトリウムペトロネートのような塩基性金属ペトロネート、金属ナフテネート化合物、及びテキサス州ヒューストンに本拠を置くＣｈｅｖｒｏｎ  Ｏｒｏｎｉｔｅ  Ｃｏｍｐａｎｙ  ＬＬＣ製のＯＬＯＡＴＭ  １２００のようなポリイソブチレンスクシンイミドなどを挙げることができる。窒素含有モノマーの例として、これらには制限されないが、脂肪族アミノ基を有する（メタ）アクリレート、窒素含有複素環を有するビニルモノマー、Ｎ−ビニル置換基を有する環状アミドモノマー、（メタ）アクリルアミド、窒素含有基を有する芳香族置換エチレン系モノマー、窒素含有ビニルエーテルモノマーなどを挙げることができる。或る実施形態では、負電荷付与剤は、レシチン、塩基性金属ペトロネート、及びポリイソブチレンスクシンイミドである。電荷付与剤の量は多数の要素によって変わり、これらの要素として、分散液の化学組成、及び電気的に活性な赤外線反射粒子またはフレークの粒子サイズを挙げることができる。この技術分野の当業者であれば、電荷付与剤の量を列挙したパラメータに基づいて調整して、電荷付与剤の特定用途に望ましい結果を達成する方法が理解できるであろう。
【００４０】
或る関連実施形態では、赤外線反射層１３は、上に説明した電気的に活性な複数の赤外線反射粒子を、架橋シリコーンのようなホスト材料に混入させ、次にこのホスト材料を硬化させ、そしてシリコーンオイルのようなオイルに浸すことにより作製することができる。ホスト材料はオイルを吸収し、そして膨潤する。膨潤プロセスによって、電気的に活性な赤外線反射粒子を保持する非常に小さいオイル充填空洞が形成される。電気的に活性な赤外線反射粒子は電圧が印加されるとこのような空洞の内部で回転することができる。回転角は、電界の強度によって制御することができる。電気的に活性な赤外線反射粒子と空洞壁との間の接着力に打ち勝つために、電界閾値を超える電界が、これらの粒子が回転する前に印加される。電界がこのように印加されることにより安定な画像が形成され、この画像は赤外線反射層１３上で、別の電界が印加されて変化するまでそのままの状態を維持する。このようにして印加される電気信号によって、選択画像を赤外線反射層上に必要に応じて形成することができる。
【００４１】
一般的に、金属のような良好な導電体は無線周波数放射線に対して高い反射率を有する。良好なレーダ反射材料の例として、これらには制限されないが、アルミニウム、スカンジウム、チタン、バナジウム、クロム、マンガン、鉄、コバルト、ニッケル、銅、亜鉛、ガリウム、ゲルマニウム、イットリウム、ジルコニウム、ニオビウム、モリブデン、テクネチウム、ルテニウム、ロジウム、パラジウム、銀、カドミウム、インジウム、錫、アンチモン、ランタン、ガドリニウム、ハフニウム、タンタル、タングステン、レニウム、オスミウム、イリジウム、白金、金、タリウム、及び鉛のような金属、及び金属合金を挙げることができる。種々のガラス及び有機材料のような導電性が悪い導体は、電子移動度が非常に小さいので、無線周波数放射線に対する反射率が低い。レーダ反射層はレーダ検出器に向けて、空及び周囲環境からの少ない量の無線周波数放射線を反射し、同時にレーダ検出器から遠ざかる方向に、他の全ての無線周波数放射線を反射するので、偽装オブジェクトが周囲環境のように見えるようになる。
【００４２】
レーダ反射層２３はホスト材料を含むことができ、ホスト材料は無線周波数放射線を十分に透過して無線周波数放射線スペクトルの少なくとも一部分を透過することができる。任意であるが、レーダ反射層のホスト材料は、赤外線、マイクロ波、及びＵＶ光のような一つ以上の他の電磁放射線を十分に透過することができる。レーダ反射層に適するホスト材料の例として、これらには制限されないが、ポリカーボネート、ポリエステル、ポリアミド（例えば、ナイロン）、ポリシロキサン（例えば、シリコーン及び架橋シリコーン）、ポリエチレン、ポリプロピレン、及び導電ポリマーを挙げることができ、導電ポリマーとして、ポリアニリン、ポリピロール、ポリチオフェン、ポリ（ｐ−フェニレン）、ポリアセチレン、ポリ（ｐ−フェニレンビニレン）、及びこれらの材料の組み合わせを挙げることができる。ホスト材料に混入させるのは電気的に活性な複数のレーダ反射粒子であり、これらの粒子は無線周波数放射線スペクトルの少なくとも一部分を反射することができる。或る関連実施形態では、電気的に活性なレーダ反射粒子はレーダ反射ビーズまたはシリンダを含む。レーダ反射ビーズは、１０μｍ〜１ｍｍの直径を有する電気異方性ビーズに、レーダ反射材料をコーティングすることにより作製することができる。同様に、電気的に活性なレーダ反射シリンダは、電気異方性シリンダにレーダ反射材料をコーティングすることにより作製することができる。電気異方性ビーズまたはシリンダは、２色ビーズまたはシリンダ、または分割型多色ビーズまたはシリンダについて上に説明した同じ、または同様の方法により作製することができる。
【００４３】
金属は良好な赤外線反射材料であり、かつ良好なレーダ反射材料であるので、金属粒子またはフレークを含む上述の赤外線反射マイクロカプセルは、無線周波数放射線を反射する電気的に活性なレーダ反射マイクロカプセルとして使用することができる。或る関連実施形態では、レーダ反射層２３に含まれる電気的に活性なレーダ反射粒子は電気的に活性なレーダ反射マイクロカプセルを含む。
【００４４】
或る関連実施形態では、レーダ反射層２３は、上に説明した電気的に活性な複数のレーダ反射粒子を、架橋シリコーンのようなホスト材料に混入させ、次にこのホスト材料を硬化させ、そしてシリコーンオイルのようなオイルに浸すことにより形成することができる。ホスト材料はオイルを吸収し、そして膨潤する。膨潤プロセスによって、電気的に活性なレーダ反射粒子を保持する非常に小さいオイル充填空洞が形成される。電気的に活性なレーダ反射粒子は電圧が印加されるとこのような空洞の内部で回転することができる。回転角は、電界の強度によって制御することができる。電気的に活性なレーダ反射粒子と空洞壁との間の接着力に打ち勝つために、電界閾値を超える電界が、これらの粒子が回転する前に印加される。電界がこのように印加されることにより安定な画像が形成され、この画像はレーダ反射層２３上で、別の電界が印加されて変化するまでそのままの状態を維持する。このようにして印加される電気信号によって、選択画像をレーダ反射層２３上に必要に応じて形成することができる。
【００４５】
或る関連実施形態では、適応的カモフラージュ構造の複数の層の内の一つの層はＵＶ反射層を含むことができる。ＵＶ反射層はホスト材料を含むことができ、ホスト材料はＵＶ光を十分に透過してＵＶスペクトルの少なくとも一部分を透過することができる。任意であるが、ＵＶ反射層のホスト材料は、赤外線、マイクロ波、及び無線周波数放射線のような一つ以上の他の電磁放射線を十分に透過することができる。ＵＶ反射層に適するホスト材料の例として、これらには制限されないが、ポリカーボネート、ポリエステル、ポリアミド（例えば、ナイロン）、ポリシロキサン（例えば、シリコーン及び架橋シリコーン）、ポリエチレン、ポリプロピレン、及び導電ポリマーを挙げることができ、導電ポリマーとして、ポリアニリン、ポリピロール、ポリチオフェン、ポリ（ｐ−フェニレン）、ポリアセチレン、ポリ（ｐ−フェニレンビニレン）、及びこれらの材料の組み合わせを挙げることができる。ホスト材料に混入させるのは電気的に活性な複数のＵＶ反射粒子であり、これらの粒子はＵＶスペクトルの少なくとも一部分を反射することができる。或る関連実施形態では、電気的に活性なＵＶ反射粒子は電気的に活性なＵＶ反射ビーズまたはシリンダを含む。電気的に活性なＵＶ反射ビーズは、１０μｍ〜１ｍｍの直径を有する電気異方性ビーズにＵＶ反射材料をコーティングすることにより作製することができる。同様に、電気的に活性なＵＶ反射シリンダは、電気異方性シリンダにＵＶ反射材料をコーティングすることにより作製することができる。電気異方性ビーズまたはシリンダは、２色ビーズまたはシリンダ、または分割型多色ビーズまたはシリンダについて上に説明した同じ、または同様の方法により作製することができる。
【００４６】
一般的に、金属のような良好な導電体はＵＶに対して高い反射率を有する。良好なＵＶ反射材料の例として、これらには制限されないが、アルミニウム、スカンジウム、チタン、バナジウム、クロム、マンガン、鉄、コバルト、ニッケル、銅、亜鉛、ガリウム、ゲルマニウム、イットリウム、ジルコニウム、ニオビウム、モリブデン、テクネチウム、ルテニウム、ロジウム、パラジウム、銀、カドミウム、インジウム、錫、アンチモン、ランタン、ガドリニウム、ハフニウム、タンタル、タングステン、レニウム、オスミウム、イリジウム、白金、金、タリウム、及び鉛のような金属、及び金属合金を挙げることができる。種々のガラス及び有機材料のような導電率が低い導体は、電子移動度が非常に小さいので、ＵＶに対する反射率が低い。一般的に、ＵＶ反射層はＵＶ検出器に向けて、空及び周囲環境からの少ない量のＵＶ光を反射し、同時にＵＶ検出器から遠ざかる方向に、他の全てのＵＶ光を反射するので、偽装オブジェクトが周囲環境のように見えるようになる。
【００４７】
金属は良好な赤外線反射材料であり、かつ良好なＵＶ反射材料であるので、金属粒子またはフレークを含む上述の赤外線反射マイクロカプセルは、ＵＶ光を反射するＵＶ反射マイクロカプセルとして使用することができる。或る関連実施形態では、ＵＶ反射層に含まれる電気的に活性なＵＶ反射粒子は電気的に活性なＵＶ反射マイクロカプセルを含む。
【００４８】
或る関連実施形態では、ＵＶ反射層は、上に説明した電気的に活性な複数のＵＶ反射粒子を、架橋シリコーンのようなホスト材料に混入させ、次にこのホスト材料を硬化させ、そしてシリコーンオイルのようなオイルに浸すことにより形成することができる。ホスト材料はオイルを吸収し、そして膨潤する。膨潤プロセスによって、電気的に活性なＵＶ反射粒子を保持する非常に小さいオイル充填空洞が形成される。電気的に活性なＵＶ反射粒子は電圧が印加されるとこのような空洞の内部で回転することができる。回転角は、電界の強度によって制御することができる。電気的に活性なＵＶ反射粒子と空洞壁との間の接着力に打ち勝つために、電界閾値を超える電界が、これらの粒子が回転する前に印加される。電界がこのように印加されることにより安定な画像が形成され、この画像はＵＶ反射層上で、別の電界が印加されて変化するまでそのままの状態を維持する。このようにして印加される電気信号によって、選択画像をＵＶ反射層上に必要に応じて形成することができる。
【００４９】
或る関連実施形態では、本発明の適応的カモフラージュ構造の複数の層の内の一つの層はマイクロ波反射層を含むことができる。マイクロ波反射層はホスト材料を含むことができ、ホスト材料はマイクロ波を十分に透過してマイクロ波スペクトルの少なくとも一部分を透過することができる。任意であるが、マイクロ波反射層のホスト材料は、赤外線、ＵＶ、及び無線周波数放射線のような一つ以上の他の電磁放射線を十分に透過することができる。マイクロ波反射層に適するホスト材料の例として、これらには制限されないが、ポリカーボネート、ポリエステル、ポリアミド（例えば、ナイロン）、ポリシロキサン（例えば、シリコーン及び架橋シリコーン）、ポリエチレン、ポリプロピレン、及び導電ポリマーを挙げることができ、導電ポリマーとして、ポリアニリン、ポリピロール、ポリチオフェン、ポリ（ｐ−フェニレン）、ポリアセチレン、ポリ（ｐ−フェニレンビニレン）、及びこれらの材料の組み合わせを挙げることができる。ホスト材料に混入させるのは電気的に活性な複数のマイクロ波反射粒子であり、これらの粒子はマイクロ波スペクトルの少なくとも一部分を反射することができる。或る実施形態では、電気的に活性なマイクロ波反射粒子は、電気的に活性なマイクロ波反射ビーズまたはシリンダを含む。電気的に活性なマイクロ波反射ビーズは、１０μｍ〜１ｍｍの直径を有する電気異方性ビーズにマイクロ波反射材料をコーティングすることにより作製することができる。同様に、電気的に活性なマイクロ波反射シリンダは、電気異方性シリンダにマイクロ波反射材料をコーティングすることにより作製することができる。電気異方性ビーズまたはシリンダは、２色ビーズまたはシリンダ、または分割型多色ビーズまたはシリンダについて上に説明した同じ、または同様の方法により作製することができる。
【００５０】
一般的に、金属のような良好な導電体はマイクロ波に対して高い反射率を有する。良好なマイクロ波反射材料の例として、これらには制限されないが、アルミニウム、スカンジウム、チタン、バナジウム、クロム、マンガン、鉄、コバルト、ニッケル、銅、亜鉛、ガリウム、ゲルマニウム、イットリウム、ジルコニウム、ニオビウム、モリブデン、テクネチウム、ルテニウム、ロジウム、パラジウム、銀、カドミウム、インジウム、錫、アンチモン、ランタン、ガドリニウム、ハフニウム、タンタル、タングステン、レニウム、オスミウム、イリジウム、白金、金、タリウム、及び鉛のような金属、及び金属合金を挙げることができる。種々のガラス及び有機材料のような導電率が低い導体は、電子移動度が非常に小さく、かつマイクロ波に対する反射率が低い。一般的に、マイクロ波反射層はマイクロ波検出器に向けて、空及び周囲環境からの少ない量のマイクロ波を反射するので、偽装オブジェクトが周囲環境のように見えるようになる。
【００５１】
金属は良好な赤外線反射材料であり、かつ良好なマイクロ波反射材料であるので、金属粒子またはフレークを含む上述の赤外線反射マイクロカプセルは、マイクロ波を反射するマイクロ波反射マイクロカプセルとして使用することができる。或る関連実施形態では、マイクロ波反射層に含まれる電気的に活性なマイクロ波反射粒子はマイクロ波反射マイクロカプセルを含む。
【００５２】
或る関連実施形態では、マイクロ波反射層は、上に説明した電気的に活性な複数のマイクロ波反射粒子を、架橋シリコーンのようなホスト材料に混入させ、次にこのホスト材料を硬化させ、そしてシリコーンオイルのようなオイルに浸すことにより形成することができる。ホスト材料はオイルを吸収し、そして膨潤する。膨潤プロセスによって、電気的に活性なマイクロ波反射粒子を保持する非常に小さいオイル充填空洞が形成される。電気的に活性なマイクロ波反射粒子は電圧が印加されるとこのような空洞の内部で回転することができる。回転角は、電界の強度によって制御することができる。電気的に活性なマイクロ波反射粒子と空洞壁との間の接着力に打ち勝つために、電界閾値を超える電界が、これらの粒子が回転する前に印加される。電界がこのように印加されることにより安定な画像が形成され、この画像はマイクロ波反射層上で、別の電界が印加されて変化するまでそのままの状態を維持する。このようにして印加される電気信号によって、選択画像をマイクロ波反射層上に必要に応じて形成することができる。
【００５３】
図７は、赤外線反射ビーズ、レーダ反射ビーズ、ＵＶ反射ビーズ、またはマイクロ波反射ビーズを作製する特定の方法を示すが、本発明による方法はこの方法に制限されない。２つの硬化性液体材料１０６及び１０７を送液手段（図示せず）によって、シャフト１０３の周りを一様に回転するスピンディスク１０２の両側１０４，１０５に吐出する。硬化性液体材料１０６，１０７はそれぞれ個々に、液体カルナバワックス及び溶融ポリエチレンのような溶融液を含むことができる。遠心力によって、硬化性液体材料１０６，１０７はディスク１０２の周辺に向かって流れ、この場合、これらの材料はエッジで混合されて液体流１０８を形成し、液体流は不安定になり、最終的に分裂してビーズ１０９となる。ビーズは、室温で冷却することにより固化させることができる、または冷却は、液体ビーズを冷却液体窒素蒸気（図示せず）を含む冷却ゾーンを通すことにより加速することができる。或る実施形態では、これらの硬化性液体材料の内の一方の硬化性液体材料は更に、赤外線反射材料、レーダ反射材料、ＵＶ反射材料、またはマイクロ波反射材料を含む粒子またはフレークを含むことができる。従って、これらのビーズ１０９の各々は、アルミニウムのような赤外線反射材料、レーダ反射材料、ＵＶ反射材料、またはマイクロ波反射材料から成る粒子またはフレークを含む一方の半球、及び何も含まない他方の半球を有する。
【００５４】
他の実施形態では、硬化性液体材料１０６及び１０７は同じである。反射ビーズ１０９は、固化ビーズに、赤外線反射材料、レーダ反射材料、ＵＶ反射材料、及びマイクロ波反射材料のような反射材料８２をコーティング装置８１でコーティングすることにより作製することができ、この場合、コーティング装置８１は反射材料８２の微細液滴または蒸気８３を固化ビーズの各々の一方の半球に吐出する。コーティング装置の例として、これらには制限されないが、ここで参照することにより本明細書に組み込まれる米国特許第４，８７１，７９０号に記載されるようなガス蒸着リアクター；クラブンデ（Ｋｌａｂｕｎｄｅ）タイプの平衡反応器；ＴｏｒｒｏｖａｐＴＭ構造の回転式反応器（カナダオンタリオ州マーカムに本拠を置くＴｏｒｒｏｖａｐ  Ｉｎｄｕｓｔｒｉｅｓ製）；カリフォルニア州サニーベールに本拠を置くＳＡＭＣＯ製のプラズマ支援ＣＶＤシステムであるＭｏｅｄｌ  ＰＤ−２００Ｄのような化学気相成長システム；テキサス州オースチンに本拠を置くＮａｎｏ−ｍａｓｔｅｒ製のＰＥＣＶＤシステムであるｍｏｄｅｌ  ＮＰＥ−４０００；ニューヨーク州ブレントウッドに本拠を置くＴｅｋ−Ｖａｃ  Ｉｎｄｕｓｔｒｉｅｓ製の超高真空ＣＶＤプロセスシステムであるＭｏｄｅｌ  ＵＨＶ−ＣＶＤ−５０００、及びテキサス州オースチンに本拠を置くＮａｎｏ−ｍａｓｔｅｒ製のスパッタコータであるｍｏｄｅｌ  ＮＳＣ  ４０００及び３０００のようなスパッタリングシステム；及びニュージャージー州ムーアズタウンに本拠を置くＤｅｎｔｏｎ  Ｖａｃｃｕｍ製のＥＸＰＬＯＲＥＲＴＭ  １４  Ｍａｇｎｅｔｒｏｎ  Ｓｐｕｔｔｅｒｉｎｇ  Ｓｙｓｔｅｍ，  ＤＩＳＣＯＶＥＲＹ（登録商標）１８  ＤＣ／ＲＦ  Ｒｅｓｅａｒｃｈ  Ｍａｇｎｅｔｒｏｎ  Ｓｐｕｔｔｅｒ  Ｄｅｐｏｓｉｔｉｏｎ  Ｓｙｓｔｅｍ，  ＤＩＳＣＯＶＥＲＹ（登録商標）２４  Ｍｕｌｔｉ−Ｃａｔｈｏｄｅ  ＤＣ／ＲＦ  Ｍａｇｎｅｔｒｏｎ  Ｓｐｕｔｔｅｒ  Ｓｙｓｔｅｍ，及びＢｅｎｃｈ  Ｔｏｐ  Ｔｕｒｂｏ  ＩＶ  Ｈｉｇｈ  Ｖａｃｕｕｍ  Ｄｅｐｏｓｉｔｉｏｎ  Ｓｙｓｔｅｍを挙げることができる。
【００５５】
図８は、赤外線反射ビーズ、レーダ反射ビーズ、ＵＶ反射ビーズ、またはマイクロ波反射ビーズを作製する別の特定の方法を示すが、本発明による方法はこの方法に制限されない。２つの硬化性液体材料１０６及び１０７は、送液手段（図示せず）によって二連式ノズル９１の対向する側を通して吐出される。硬化性液体材料１０６，１０７はそれぞれ個々に、液体カルナバワックス及び溶融ポリエチレンのような溶融液を含むことができる。硬化性液体材料１０６及び１０７は、正電極９５及び負電極９６によって帯電し、そして二連式ノズル９１の射出口での静電吸着によって混ざることにより、内部に発生する双極モーメントを有するビーズ１２０を形成する。或る実施形態では、これらの硬化性液体材料の内の一方は更に、赤外線反射材料、レーダ反射材料、ＵＶ反射材料、またはマイクロ波反射材料を含む粒子またはフレークを含むことができる。従って、これらのビーズ１２０の各々は、アルミニウムのような赤外線反射材料、レーダ反射材料、ＵＶ反射材料、またはマイクロ波反射材料から成る粒子またはフレークを含む一方の半球、及び何も含まない他方の半球を有する。他の実施形態では、硬化性液体材料１０６及び１０７は同じである。反射ビーズ１２０は、固化ビーズに、赤外線反射材料、レーダ反射材料、ＵＶ反射材料、及びマイクロ波反射材料のような反射材料８２をコーティング装置８１でコーティングすることにより作製することができ、この場合、コーティング装置８１は反射材料８２の微細液滴または蒸気８３を固化ビーズの各々の一方の半球に吐出する。コーティング装置の例として、これらには制限されないが、上に説明したような化学気相成長システム及びスパッタリングシステムを挙げることができる。
【００５６】
本発明の適応的カモフラージュ構造の各反射層にとって望ましいカモフラージュ画像は、この技術分野において公知の方法の内の一つの方法、またはこれらの方法の組み合わせにより決定することができる。これらの方法では、事前設定されるプログラム画像から、例えばビークル（展色剤：硬化塗膜形成主要素）の運動によって、または光の状態が変化することによって生じる固有の環境の変化をモニタリングするセンサによって生成される、能動的に変化する画像までの種々の画像が対象となる。所望の画像を決定する従来の方法の内の幾つかの方法は、米国特許第６，６８２，８７９号、第６，３４２，２９０号、及び第５，３０７，１６２号に開示されており、これらの文献の全てをここで参照することにより、これらの文献の内容が本明細書に組み込まれる。
【００５７】
一旦、本発明の適応的カモフラージュ構造の各反射層にとって望ましいカモフラージュ画像が選択される。適応的カモフラージュ構造の反射層における所望のカモフラージュ画像は、複数の調整可能電圧パターン中間層によって生成することができ、これらの中間層の各々は反射層に隣接して、当該反射層によって反射されるカモフラージュ画像を制御する。各調整可能電圧パターン中間層は、米国特許第５，７１５，５１５号に開示される、斜め電界を発生させる電極構成のような従来のアドレス指定方式、米国特許第５，７３９，８０１号に開示される多値閾値アドレス指定システム（ｍｕｌｔｉｔｈｒｅｓｈｏｌｄ  ａｄｄｒｅｓｓｉｎｇ  ｓｙｓｔｅｍ）、米国特許第６，６９０，３５０号に開示されるデュアルベクトル場アドレス指定システム（ｄｕａｌ  ｖｅｃｔｏｒ  ｆｉｅｌｄ  ａｄｄｒｅｓｓｉｎｇ  ｓｙｓｔｅｍ）、及び米国特許第６，７５３，９９９号、第６，６９３，６２０号、第６，５３１，９９７号、第６，５０４，５２４号、及び第６，４４５，４８９号に開示される種々のアドレス指定システムとすることができ、上述の特許文献の全てをここで参照することにより、これらの文献の内容が本明細書に組み込まれる。
【００５８】
或る関連実施形態では、各調整可能電圧パターン中間層はアクティブマトリクスアドレス方式を含む。アクティブマトリクスアドレス方式では、各反射層を、列及び行によって特定されるアレイ状の微細セルに分割する。画素を表わす各セルは普通、各セルに対応する一つの薄膜トランジスタを含む。各薄膜トランジスタは、少なくとも一つの電気的に活性な反射粒子に印加される電圧を制御してこれらの粒子の方位を制御して、当該粒子が可視光、ＵＶ光、赤外線、マイクロ波、及び／又は無線周波数放射線のような特定の放射線を反射するようにする。或る実施形態では、アクティブマトリクスアドレス方式では、各セルの電圧を次の手順によって制御する。
【００５９】
（１）選択電圧がアクティブマトリクスの或る選択行（例えば、第１行）のゲートに印加され、非選択電圧が他の全ての行のゲートに印加される。
（２）データ電圧が同時に列電極の全てに印加されて選択行の各画素を所望の電圧にまで充電する。
【００６０】
（３）選択行のゲートに印加される選択電圧を非選択電圧に変える。そして、
（４）ステップ１〜３を各連続行に対して、行の全てが選択され、かつ画素が所望電圧に充電されるまで繰り返す。
【００６１】
他の関連実施形態においては、アドレス指定方式では、２つの電極アセンブリを、電気的に活性な反射粒子を混入させる反射層のいずれの側にも配置する。これらの電極アセンブリはともに、非常に抵抗率の高い透明導体により作製される。これらの電極アセンブリの各々は、複数の矩形領域に分割される。これらの矩形領域は高抵抗セパレータによって分離され、高抵抗セパレータはガラスまたは他の基板材料により作製することができる。これらの電極アセンブリはともに、電源に接続することができる。これらの矩形領域の各々の領域の内部には、個々にアドレス指定可能なバスバーが配置される。一つの電極の電極バスバーは他の電極の電極バスバーに平行に、かつ直上に配置される。各個々の電極バスバーの電圧は、アクティブマトリクスアドレス指定装置を使用して設定することができる。従って、これらの矩形領域の各々の領域を個々にアドレス指定することができる。上述の電極構成は米国特許第６，４９２，９６７号に記載されており、この文献の全てをここで参照することにより、この文献の内容が本明細書に組み込まれる。
【００６２】
更に別の関連実施形態では、本発明の適応的カモフラージュ構造の複数の反射層の各々は、他の反射層とは個別に、上述のアドレス指定方式の内の一つの方式によってアドレス指定することができる。更に別の関連実施形態では、適応的カモフラージュ構造の異なる層に含まれる電気的に活性な反射粒子が異なる回転閾値を有する場合に、単一のアドレス指定方式を使用して、適応的カモフラージュ構造の反射層の全てを制御することができる。図９によれば、可視光反射層３に含まれる電気的に活性な可視光反射粒子６０が、高電圧Ｖ１が印加されるときにのみ回転し始める場合、電気的に活性な赤外線反射粒子６１は赤外線反射層１３の中で、中間電圧Ｖ２が印加されるときに回転し始め、そして電気的に活性なレーダ反射粒子６２はレーダ反射層３の中で、低電圧Ｖ３が印加されるときに回転し始め、従って単一のアドレス指定方式を構成する調整可能電圧パターン中間層４０を使用して３つの層の全てに含まれる電気的に活性な反射粒子をアドレス指定することができる。例えば、高電圧Ｖ１を印加することにより、３つの層の全てに含まれる電気的に活性な反射粒子６０，６１，及び６２が回転する。中間電圧Ｖ２を印加することにより、電気的に活性な赤外線反射粒子６１及び電気的に活性なレーダ反射粒子６２だけが回転する。低電圧Ｖ３を印加することにより、電気的に活性なレーダ反射粒子６２だけが回転する。従って、３つの層の全てに含まれる電気的に活性な反射粒子は、高アドレス指定電圧、中間アドレス指定電圧、及び低アドレス指定電圧を連続的に印加することにより、必要に応じて回転させることができる。
【００６３】
上に説明した実施形態は例示のために提示されるのであり、本発明を制限するものではない。更に別の実施形態は以下の請求項に包含される。本発明について好適な実施形態を参照しながら記載してきたが、この技術分野の当業者であれば、形態及び詳細に関わる変更を本発明の技術思想及び技術範囲から逸脱しない範囲において加え得ることが理解できるであろう。
【図面の簡単な説明】
【００６４】
【図１】２つの反射層及び２つの調整可能電圧パターン中間層を備える適応的カモフラージュ構造の一の実施形態の模式断面図であり、上部の反射層が可視光を反射し、そして下部の反射層が赤外線を反射する様子を示している。
【図２】３つの反射層及び３つの調整可能電圧パターン中間層を備える適応的カモフラージュ構造の一の実施形態の模式断面図であり、最上部の反射層が可視光を反射し、中間の反射層が赤外線を反射し、そして最下部の反射層が無線周波数放射線を反射する様子を示している。
【図３】電気的に活性な２色ビーズを、２つの異なる硬化性液体材料から作製するためのスピンディスクの一の実施形態の模式断面図であり、断面はディスクの軸に沿って描かれている。
【図４】電気的に活性な２色ビーズを、異なる電荷に帯電した２つの異なる硬化性液体材料から作製するための二連式ノズルの一の実施形態の模式側面図である。
【図５】電気的に活性な２色ビーズを、異なる電荷に帯電した２つの異なる硬化性液体材料から作製するためのスピンディスクの一の実施形態の模式透視図である。
【図６】電気的に活性な分割型多色ビーズを、異なる硬化性液体材料から作製するための３つのスピンディスクから成るアセンブリの一の実施形態の模式側面図である。
【図７】電気的に活性なビーズを作製するためのスピンディスク及びコーティング装置の一の実施形態の模式側面図であり、断面はディスクの軸に沿って描かれている。
【図８】電気的に活性なビーズを作製するための二連式ノズル及びコーティング装置の一の実施形態の模式側面図である。
【図９】３つの反射層及び一つの調整可能電圧パターン中間層を備える適応的カモフラージュ構造の一の実施形態の模式断面図であり、最上部の反射層が可視光を反射し、中間の反射層が赤外線を反射し、そして最下部の反射層が無線周波数放射線を反射する様子を示している。
【図１】
2008531962.tif 000003
【図２】
2008531962.tif 000004
【図３】
2008531962.tif 000005
【図４】
2008531962.tif 000006
【図５】
2008531962.tif 000007
【図６】
2008531962.tif 000008
【図７】
2008531962.tif 000009
【図８】
2008531962.tif 000010
【図９】
2008531962.tif 000011
【国際調査報告】
2008531962.tif 000012